(57)【要約】【課題】スプールの外周部にウエビングベルトを簡単に装着できるウエビング巻取装置を得る。【解決手段】ウエビングベルト４４の長手方向基端部が係止されたベルト係止部材４０と、ウエビングベルト４４が内側を通過している枠状部材６０とが別体で構成されており、これらのベルト係止部材４０と枠状部材６０とをスプール２０に装着して更にベルト係止部材４０と枠状部材６０とを連結する。これにより、ウエビングベルト４４が間接的にスプール２０の外周部に装着される。このように、ベルト係止部材４０と枠状部材６０とが別体で構成されていることで、予め枠状部材６０にウエビングベルト４４を通しておくことができ、ウエビングベルト４４をスプール２０の外周部に装着する際の作業を簡単にできる。【選択図】図３
2010163048.tif 000002
【特許請求の範囲】
【請求項１】
車体又は車両のシートに固定されるフレームを含めて構成される装置本体と、
前記装置本体に回転可能に支持されて、長尺帯状のウエビングベルトをその長手方向基端側から巻き取って格納するスプールと、
前記ウエビングベルトの長手方向基端部が係止されて、前記スプールの外周部に配置されるベルト係止手段と、
前記ベルト係止手段とは別体で構成されて、前記ベルト係止手段に連結された状態で前記ベルト係止手段に係止された前記ウエビングベルトの長手方向基端部よりも先端側で前記ウエビングベルトに係合するループ保持手段と、
を含めて構成されて、前記ループ保持手段が前記ウエビングベルトに係合することで、前記ウエビングベルト、前記ベルト係止手段、及び前記ループ保持手段のうち、少なくとも何れか２つによって前記スプールの外周部を囲むループを形成すると共に、前記ウエビングベルトに前記ループ保持手段が係合することで前記ループ保持手段に前記ループが保持されるウエビング巻取装置。
【請求項２】
前記スプールに設けられた規制部に対して係合可能に前記ベルト係止手段及び前記ループ保持手段の何れかの一方に形成されて、前記何れかの他方が連結されると共に前記規制部に係合した状態では前記スプールの周方向に沿った変位が前記規制部に規制される連結部を備える請求項１に記載のウエビング巻取装置。
【発明の詳細な説明】
【技術分野】
【０００１】
本発明は、例えば、車両のシートベルト装置を構成するウエビングベルトを巻き取って格納するためのウエビング巻取装置に関する。
【背景技術】
【０００２】
下記特許文献１に開示されたウエビング巻取装置のスプールにウエビングベルトを取り付けるに際しては締め具が用いられる。締め具は一対の横片を備えている。これらの横片はスプールの軸方向に沿って長手とされ、スプールの周方向に離間している。これらの横片の一方はウエビングベルトの長手方向基端部に形成されたループ部を貫通しており、これにより、ウエビングベルトの長手方向基端部が締め具に連結されている。
【０００３】
締め具をスプールの外周部側方に配置した状態でウエビングベルトをスプールに巻き付け、更に、上記の一対の横片の間の開口にウエビングベルトの先端部を通すことで、スプールの外周部を覆うようなループが形成され、更にこの状態でウエビングベルトを先端側へ引っ張ってこのループを縮めれば、ループがスプールの外周部を締め付ける。これにより、ウエビングベルトがスプールに装着される。
【０００４】
この締め具に対応してスプールの外周部には突起が形成されており、この突起が締め具に干渉することで締め具がスプールの周方向に変位することが規制されている。
【先行技術文献】
【特許文献】
【０００５】
【特許文献１】独国特許公開第１０２３８９２４号（ＤＥ  １０２３８９２４  Ａ１）の公報
【発明の概要】
【発明が解決しようとする課題】
【０００６】
しかしながら、このような締め具をスプールに装着するに際しては、上記のように一対の横片の間の開口にウエビングベルトの先端部を通してループを形成するという煩雑な作業を要し、スプールに対するウエビングベルトの組付作業の作業性という観点からすると、未だ改善の余地が多分に残されていた。
【０００７】
本発明は、上記事実を考慮して、スプールの外周部にウエビングベルトを簡単に装着できるウエビング巻取装置を得ることが目的である。
【課題を解決するための手段】
【０００８】
請求項１に記載の本発明に係るウエビング巻取装置は、車体又は車両のシートに固定されるフレームを含めて構成される装置本体と、前記装置本体に回転可能に支持されて、長尺帯状のウエビングベルトをその長手方向基端側から巻き取って格納するスプールと、前記ウエビングベルトの長手方向基端部が係止されて、前記スプールの外周部に配置されるベルト係止手段と、前記ベルト係止手段とは別体で構成されて、前記ベルト係止手段に連結された状態で前記ベルト係止手段に係止された前記ウエビングベルトの長手方向基端部よりも先端側で前記ウエビングベルトに係合するループ保持手段と、を含めて構成されて、前記ループ保持手段が前記ウエビングベルトに係合することで、前記ウエビングベルト、前記ベルト係止手段、及び前記ループ保持手段のうち、少なくとも何れか２つによって前記スプールの外周部を囲むループを形成すると共に、前記ウエビングベルトに前記ループ保持手段が係合することで前記ループ保持手段に前記ループが保持される。
【０００９】
請求項１に記載の本発明に係るウエビング巻取装置では、車両を構成する車体や車両のシートに取り付けられる装置本体にはスプールが回転可能に支持されており、このスプールの外周部には長尺帯状のウエビングベルトがその長手方向基端側から巻き取られた状態で格納される。例えば、車両の乗員がウエビングベルトを装着する場合や、車両のシートに載置したチャイルドシートをウエビングベルトでシートに固定するに際しては、スプールに巻き取られているウエビングベルトが引き出される。
【００１０】
一方、本ウエビング巻取装置では、上記のウエビングベルトの長手方向基端部はスプールの外周部に配置されるベルト係止手段に係止される。このベルト係止手段には、ベルト係止手段とは別体で構成されたループ保持手段が連結され、ウエビングベルトの長手方向基端部よりも先端側がループ保持手段に係合することで、ウエビングベルト、ベルト係止手段、及びループ保持手段のうち、少なくとも何れか２つによってループが形成され、更に、ウエビングベルトにループ保持手段が係合することで、このループが保持される。
【００１１】
このようにして形成されたループは、上記のスプールの外周部を囲むように内側にスプールが配置された状態でループ保持手段が連結されたベルト係止手段がスプールに取り付けられ、これにより、ウエビングベルトがベルト係止手段を介して間接的にスプールに取り付けられる。
【００１２】
ここで、本発明に係るウエビング巻取装置では、ウエビングベルトの長手方向基端部が係止されるベルト係止手段と、ウエビングベルトに係合することで上記のループを形成して保持するループ保持手段とが別体で構成されているので、ウエビングベルトをスプールに装着する際に、スリット孔等にウエビングベルトを通すといった煩雑な作業を行なわなくても、簡単にスプールを囲むループを形成でき、スプールに対するウエビングベルトの取り付けを簡単に行なえる。
【００１３】
なお、本発明において装置本体は、車体や車両のシートに固定されるフレームを含む構成であり、フレームの他には、例えば、車両が急減速した場合やウエビングベルトが引き出される際の回転方向である引出方向へスプールが急激に回転した場合に作動してスプールの引出方向への回転を規制するロック機構、作動することでウエビングベルトを巻き取る際の回転方向である巻取方向への回転力をスプールに付与するプリテンショナ機構、ウエビングベルトがスプールから引き出されることで付勢力が増加してスプールを巻取方向へ付勢する付勢手段、作動することでスプールに巻取方向や引出方向への回転力を付与する駆動手段やこの駆動手段の駆動力をスプールに伝える駆動力伝達手段等、フレームに直接又は間接的に取り付けられる各種構成も本発明では装置本体に含まれる。
【００１４】
また、本発明では、ウエビングベルト、ベルト係止手段、及びループ保持手段のうち、少なくとも何れか２つによってループが形成されればよく、この組み合わせに関してはなんら限定されるものではない。しかも、少なくとも何れか２つによってループが形成されればよいので、ウエビングベルト、ベルト係止手段、及びループ保持手段の全てを用いて上記のループを形成する構成であってもよい。
【００１５】
請求項２に記載の本発明に係るウエビング巻取装置は、請求項１に記載の本発明において、前記スプールに設けられた規制部に対して係合可能に前記ベルト係止手段及び前記ループ保持手段の何れかの一方に形成されて、前記何れかの他方が連結されると共に前記規制部に係合した状態では前記スプールの周方向に沿った変位が前記規制部に規制される連結部を備えている。
【００１６】
請求項２に記載の本発明に係るウエビング巻取装置では、ベルト係止手段及びループ保持手段をスプールの外周部に配置した状態で、ベルト係止手段及びループ保持手段の何れかの一方に形成された連結部に何れかの他方が連結される。さらに、この何れかの他方が連結された連結部は、スプールに設けられた規制部に係合させられる。これにより、ベルト係止手段及びループ保持手段の双方がスプールに取り付けられ、ひいては、ウエビングベルトがスプールに取り付けられる。
【００１７】
このようにしてスプールに取り付けられたベルト係止手段及びループ保持手段の何れか一方は、連結部がスプールの規制部に係合していることで、スプールの周方向への変位が規制部に規制される。これにより、スプールの周方向へのベルト係止手段及びループ保持手段の双方の変位が規制され、ひいては、ベルト係止手段に係止されたウエビングベルトの基端部がスプールの周方向に変位することが規制される。これにより、スプールからウエビングベルトを全て引き出した全引出状態で、スプールがウエビングベルトを巻き取る方向へ回転した際に、ウエビングベルトを巻き取らずにスプールだけが回転する空回りの発生を防止又は効果的に抑制できる。
【００１８】
しかも、ベルト係止手段とループ保持手段とを連結するための連結部がスプールの規制部に係合する構成であるので、ベルト係止手段及びループ保持手段の何れかの一方（すなわち、連結部が設けられている方）の連結部以外の形状等をシンプルにできる。
【発明の効果】
【００１９】
以上説明したように、本発明に係るウエビング巻取装置は、スプールの外周部にウエビングベルトを簡単に装着できる。
【図面の簡単な説明】
【００２０】
【図１】本発明の第１の実施の形態に係るウエビング巻取装置の構成を概略的に示す正面図である。
【図２】スプール、ベルト係止手段、及びループ保持手段の斜視図である。
【図３】スプールにベルト係止手段及びループ保持手段を装着している状態を示す斜視図である。
【図４】ウエビングベルトにベルト係止手段及びループ保持手段を取り付けた状態を示す断面図である。
【図５】スプールにベルト係止手段及びループ保持手段を装着している状態を示す断面図である。
【図６】スプールにベルト係止手段及びループ保持手段が装着された状態を示す断面図である。
【図７】スプールにウエビングベルトが巻き取られた状態を示す断面図である。
【図８】本発明の第２の実施の形態の構成の要部であるベルト係止手段を示す斜視図である。
【図９】ループ保持手段に対してベルト係止手段の通過が可能な寸法関係を示す図で、（Ａ）はループ保持手段の正面図、（Ｂ）はベルト係止手段の側面図である。
【図１０】ループ保持手段に対してベルト係止手段の通過が可能な構成を示す斜視図である。
【図１１】ループ保持手段に対してベルト係止手段の通過が可能な他の構成を示す斜視図である。
【図１２】本発明の第３の実施の形態の構成の要部であるベルト係止手段を示す斜視図である。
【図１３】本発明の第４の実施の形態の構成の要部であるループ保持手段を示す斜視図である。
【図１４】本発明の第５の実施の形態の構成の要部であるベルト係止手段及びループ保持手段を示す斜視図である。
【図１５】スプールにベルト係止手段及びループ保持手段を装着している状態を示す断面図である。
【図１６】本発明の第６の実施の形態の構成の要部であるベルト係止手段及びループ保持手段を示す斜視図である。
【発明を実施するための形態】
【００２１】
＜第１の実施の形態の構成＞
図１には本発明の第１の実施の形態に係るウエビング巻取装置１０の全体構成の概略が正面断面図によって示されている。
【００２２】
図１に示されるように、本ウエビング巻取装置１０は装置本体１２を備えている。装置本体１２は車両を構成する車体や車両のシートの内部の骨格部材等に固定されるフレーム１４を備えている。フレーム１４は各々が板状の一対の脚板１６、１８を備えている。これらの脚板１６と脚板１８とは厚さ方向に互いに対向しており、その間にはスプール２０が配置されている。
【００２３】
図１及び図２に示されるように、スプール２０は軸方向が脚板１６と脚板１８との対向方向に沿った筒形状に形成されており、その内側には図示しないエネルギー吸収部材としてのトーションシャフトが設けられる。トーションシャフトは長手方向がスプール２０の軸方向に沿った棒状の部材とされている。トーションシャフトは、その長手方向に沿った脚板１６側の端部、又は、トーションシャフトの脚板１６側の端部よりも脚板１８側でスプール２０に対するスプール２０の中心軸線周りの相対回転が不能な状態でスプール２０に直接又はスプール２０の脚板１８側の端部に装着された連結部材を介して間接的に繋がっている。
【００２４】
図１に示されるように、脚板１６の外側（脚板１６の脚板１８とは反対側）には、スプリングハウジング２２が脚板１６に取り付けられている。上述したトーションシャフトの脚板１６側、又は、トーションシャフトの脚板１６側とスプール２０を繋ぐ連結部材は脚板１８を貫通してスプリングハウジング２２の内側に入り込み、スプリングハウジング２２によりスプール２０の中心軸線周りに回動自在に支持されている。
【００２５】
スプリングハウジング２２の内側には付勢手段としての渦巻きばね（図示省略）が収容されている。渦巻きばねはその渦巻き方向外側の端部がスプリングハウジング２２に直接又は間接的に係止されており、渦巻き方向内側の端部がスプリングハウジング２２内に入り込んでいる上記の脚板１６又は連結部材に直接又は間接的に係止されている。スプール２０がその中心軸線周りの一方である引出方向に回転すると、この回転で渦巻きばねが巻き締まり、引出方向とは反対の巻取方向へスプール２０を付勢する。
【００２６】
一方、脚板１８の外側（脚板１８の脚板１６とは反対側）には、ロック機構ハウジング２４が脚板１８に取り付けられている。上述したトーションシャフトの脚板１８側、又は、トーションシャフトの脚板１８側は脚板１８を貫通してスプリングハウジング２２の内側に入り込み、スプリングハウジング２２によりスプール２０の中心軸線周りに回動自在に支持されている。これにより、トーションシャフトが相対回転不能な状態で繋がっているスプール２０が、自らの中心軸線周りに回転自在に支持されている。
【００２７】
ロック機構ハウジング２４の内側にはロック機構を構成する各種部材が収容されている。ロック機構は車両が急減速した場合や上記の引出方向へトーションシャフトが急激に回転した場合に作動し、トーションシャフトの脚板１８の側に直接又はロックベース等と称される他の部材を介して間接的に係合して、トーションシャフト、ひいては、スプール２０の引出方向への回転を規制する。
【００２８】
なお、本実施の形態は、スプール２０にトーションシャフトを設けてトーションシャフトを介してスプール２０を上記のロックベースに連結した構成であったが、トーションシャフトを設けずに、スプール２０とロックベースとを直接連結する構成や、トーションシャフト以外の部材を介してスプール２０とロックベースとを連結する構成としてもよい。
【００２９】
一方、図１及び図２に示されるように、スプール２０にはベルト係止手段としてのベルト係止部材４０が装着される。ベルト係止部材４０は係止片４２を備えている。係止片４２は長手方向がスプール２０の軸方向に沿った棒状又は細幅板状に形成されており、この係止片４２にはウエビングベルト４４の長手方向基端部が係止される。
【００３０】
ウエビングベルト４４は長尺帯状に形成されており、その幅寸法は係止片４２の長手寸法以下とされている。ウエビングベルト４４の長手方向基端部近傍は係止片４２を包むようにウエビングベルト４４の長手方向先端側へ折り返される。このように折り返されたウエビングベルト４４は、折り返し部分よりも長手方向基端側と長手方向先端側とが重ね合わされた状態で縫合される。これにより、ウエビングベルト４４の長手方向基端部が係止片４２、すなわち、ベルト係止部材４０に係止されている。
【００３１】
この係止片４２の長手方向両端部からは一対の湾曲片４８が延出されている。これらの湾曲片４８は長手方向寸法がスプール２０の外周長よりも充分に短い棒状又は細幅板状に形成されており、スプール２０の外周部に倣うように湾曲している。このような湾曲片４８の係止片４２とは反対側の端部には連結部としての連結片４６が繋がっている。連結片４６は長手方向がスプール２０の軸方向に沿い、且つ、スプール２０の中心軸線と略同じ向きを軸方向とする軸周りに湾曲した細幅板状に形成されており、ベルト係止部材４０全体としてはスプール２０に倣って湾曲した枠形状となっている。
【００３２】
一方、図１及び図２に示されるように、スプール２０にはループ保持手段としての枠状部材６０が装着される。枠状部材６０は干渉片６２を備えている。干渉片６２は長手方向がスプール２０の軸方向に沿った棒状又は細幅板状に形成されている。また、この嵌込片６６の長手方向両端部からは一対の湾曲片６４が延出されている。これらの湾曲片６４は長手方向寸法がスプール２０の外周長からベルト係止部材４０を構成する湾曲片４８の長手方向寸法を差し引いた長さ以下とされた棒状又は細幅板状に形成されている。また、湾曲片６４は湾曲片４８と同様にスプール２０の外周部に倣うように湾曲している。このような湾曲片６４の干渉片６２とは反対側の端部には嵌込片６６が繋がっている。
【００３３】
嵌込片６６は長手方向がスプール２０の軸方向に沿った棒状又は細幅板状に形成されており、枠状部材６０全体としてはスプール２０に倣って湾曲した枠形状となっている。図３に示されるように、このような構成の枠状部材６０にはウエビングベルト４４が通過する。
【００３４】
ここで、上述したベルト係止部材４０の連結片４６は、内周形状が枠状部材６０を構成する嵌込片６６の太さ以上とされており、図３及び図５に示されるように、連結片４６の内側に嵌込片６６を配置できる。しかも、上記のように湾曲した連結片４６の湾曲方向（すなわち、連結片４６の幅方向）両端間には嵌込片６６の太さ以上の隙間が形成されており、この隙間から連結片４６の内側に嵌込片６６を嵌め込むことができるようになっている。但し、図４に示されるように、スプール２０に対するベルト係止部材４０及び枠状部材６０の組み付け前の状態では、連結片４６に嵌込片６６が嵌め込まれていない。
【００３５】
また、図３及び図５に示されるように、上記のように湾曲した連結片４６に対応して、スプール２０の外周部には規制部としての規制孔７２が形成されている。規制孔７２はスプール２０の外周部にて開口しており、その内側には嵌込片６６が嵌め込まれた連結片４６が入り込む。規制孔７２に連結片４６が入り込んだ状態でスプール２０に対して枠状部材６０をスプール２０の周方向に変位させようとすると、規制孔７２の内周部が連結片４６に干渉する。この干渉によりスプール２０の周方向に沿った連結片４６の変位が規制され、ひいては、スプール２０の周方向に沿ったスプール２０に対する枠状部材６０の変位が規制される。
【００３６】
＜第１の実施の形態の作用、効果＞
次に、スプール２０へのウエビングベルト４４の組付方法の説明を通して、本実施の形態の作用並びに効果について説明する。
【００３７】
本ウエビング巻取装置１０において、スプール２０にウエビングベルト４４を組み付ける際には、ベルト係止部材連結工程にてベルト係止部材４０にウエビングベルト４４の長手方向基端部が連結される。すなわち、ベルト係止部材連結工程では、全体的に枠状となっているベルト係止部材４０にウエビングベルト４４の長手方向基端側が通過させられる。ベルト係止部材４０を通過したウエビングベルト４４の長手方向基端側は係止片４２を包むように幅方向を軸方向とする軸周りに折り返される。このように折り返されたウエビングベルト４４は、折り返し部分よりも基端側と先端側とが互いに重ね合わされて縫合される。これにより、ベルト係止部材４０とウエビングベルト４４とが連結される。
【００３８】
なお、上記のようなウエビングベルト４４を縫合することによるベルト係止部材４０とウエビングベルト４４との連結は、あくまでもウエビングベルト４４の長手方向基端部をベルト係止部材４０に連結するための手段の一態様であり、ベルト係止部材４０とウエビングベルト４４との連結がこのような縫合に限定されるものではない。
【００３９】
上記のベルト係止部材連結工程の前又は後に行なわれるベルト通し工程では、枠状部材６０の内側にウエビングベルト４４の長手方向基端側が通過させられる。なお、このベルト通し工程は上記のベルト係止部材連結工程の先に行なわれてもよいし、ベルト係止部材連結工程の後に行なわれてもよいが、例えば、ベルト通し工程をベルト係止部材連結工程の先に行なう場合には、枠状部材６０の内側にウエビングベルト４４を通過させるに際して、ウエビングベルト４４をその長手方向基端部から通過させることが簡単にできるので、作業性が更によくなるというメリットがある。これに対し、ベルト通し工程をベルト係止部材連結工程の後に行なう場合には、例えば、上記のようにウエビングベルト４４の基端側を縫合する際に、枠状部材６０を気にせず作業できるというメリットがある。
【００４０】
以上のベルト係止部材連結工程及びベルト通し工程を経ることで、図４に示されるように、ベルト係止部材４０の係止片４２に係止されたウエビングベルト４４の長手方向基端部よりも先端側が枠状部材６０を通過した状態になる。
【００４１】
次いで、ベルト取付工程では、先ず、図３及び図５に示されるように、ウエビングベルト４４のベルト係止部材４０と枠状部材６０との間の部分と、ベルト係止部材４０と、枠状部材６０とでスプール２０の外周部が囲まれる（すなわち、ウエビングベルト４４とベルト係止部材４０と枠状部材６０とによってスプール２０の外周部の外周部を囲むループが形成される）。この状態で、ベルト係止部材４０の連結片４６の内側に枠状部材６０の嵌込片６６が嵌め込まれる。さらに、嵌込片６６が嵌め込まれた連結片４６が、スプール２０に形成された規制孔７２に嵌め込まれ、この状態でウエビングベルト４４がその先端側へ引っ張られる。
【００４２】
これにより、ウエビングベルト４４のベルト係止部材４０と枠状部材６０との間の部分の長さが短くなると、ベルト係止部材４０及び枠状部材６０がスプール２０の外周部に接近して圧接する。これにより、図６に示されるように、ベルト係止部材４０及び枠状部材６０がスプール２０に装着され、間接的にウエビングベルト４４がスプール２０に装着される。
【００４３】
このように、本ウエビング巻取装置１０では、ウエビングベルト４４をスプール２０に装着するに際して、ウエビングベルト４４の基端側にループを作らなくてもよく、したがって、ベルト係止部材４０及び枠状部材６０をスプール２０に取り付ける工程で、枠状部材６０にウエビングベルト４４を先端側から通すという煩雑な作業が不要である。このように、本実施の形態に係るウエビング巻取装置１０では、簡単にウエビングベルト４４をスプール２０の外周部に取り付けることができる。この状態で、スプール２０を巻取方向に回転させると、図７に示されるように、スプール２０の外周部にウエビングベルト４４がその長手方向基端側から層状に巻き取られて格納される。
【００４４】
一方、上記のようにベルト係止部材４０及び枠状部材６０をスプール２０に取り付けた状態では、嵌込片６６が嵌め込まれた連結片４６が規制孔７２に嵌め込まれている。このため、スプール２０の周方向にベルト係止部材４０及び枠状部材６０が変位しようとすると、規制孔７２の内壁に連結片４６が干渉され、これにより、スプール２０の周方向へのベルト係止部材４０及び枠状部材６０の変位が防止又は極めて効果的に抑制される。
【００４５】
例えば、スプール２０からウエビングベルト４４を全て引き出した全引出状態（図６参照）からスプール２０を巻取方向に回転させるとスプール２０にウエビングベルト４４が巻き取られるが、巻取方向へのスプール２０の回転にベルト係止部材４０及び枠状部材６０が追従せずに、スプール２０の周方向にベルト係止部材４０が相対的に変位すると、スプール２０が空回りすることになり、スプール２０にウエビングベルト４４が巻き取られない。
【００４６】
しかしながら、本ウエビング巻取装置１０では、上記のようにスプール２０の周方向へのベルト係止部材４０の変位が防止又は極めて効果的に抑制されるので、ループの空回りの発生を防止又は極めて効果的に抑制でき、ウエビングベルト４４を確実にスプール２０に巻き取らせることができる。
【００４７】
なお、本実施の形態では、図６に示されるように、ベルト係止部材４０と枠状部材６０とでスプール２０の外周部の略全域を囲う構成であったが、ベルト係止部材４０と枠状部材６０とがスプール２０の外周部を囲う範囲に関してはなんら限定されるものではない。したがって、ベルト係止部材４０と枠状部材６０とがスプール２０の外周部のごく一部のみを囲い、スプール２０の外周部のうちベルト係止部材４０と枠状部材６０とで囲えなかった範囲をウエビングベルト４４のベルト係止部材４０と枠状部材６０との間の部分で囲ってもよい。
【００４８】
また、本実施の形態では、ベルト係止部材４０に連結部としての連結片４２を形成して、ベルト通過部材としての枠状部材６０に嵌込片６６を形成した構成であったが、ベルト係止部材４０に嵌込片６６を形成して、枠状部材６０に連結部としての連結片４２を形成してもよい。
【００４９】
さらに、本実施の形態では、フレーム１４、スプリングハウジング２２及びこのスプリングハウジング２２内に設けられた渦巻きばね等から成るスプール付勢機構、ロック機構ハウジング２４及びこのロック機構ハウジング２４内に収容される各種部材等から成るロック機構を含めて装置本体１２を構成したが、装置本体１２はフレーム１４を含む構成であればよく、このようなスプール付勢機構やロック機構を備えない構成であってもよい。
【００５０】
また、このようなスプール付勢機構やロック機構とは別に、作動することで強制的にスプール２０に巻取方向への急激な回転力を付与するプリテンショナ機構や、駆動力をスプール２０に伝えてスプール２０を巻取方向や引出作動に回転させるモータ等の駆動手段、更には、このような駆動手段の駆動力をスプール２０に伝達するギヤ列等の駆動力伝達手段等、フレーム１４に取り付けられる構成を含めて装置本体１２を構成してもよい。
【００５１】
さらに、本実施の形態では、長手方向がスプール２０の軸方向に沿い、且つ、スプール２０の中心軸線と略同じ向きを軸方向とする軸周りに湾曲した細幅板状の連結片４６を連結部とした構成であった。しかしながら、特許請求の範囲で言う「連結部」は、規制孔７２等の規制部に係合していることで、スプール２０の周方向への変位が規制され、ひいては、スプール２０の周方向へのベルト係止部材４０及び枠状部材６０の変位が規制される構成であればよい。したがって、連結部は上記の連結片４６のような形状に限定されるものではない。以下、連結部の変形例を第２の実施の形態として説明する。
【００５２】
＜第２の実施の形態＞
図８には、本発明の第２の実施の形態の構成の要部であるベルト係止手段としてのベルト係止部材９０が斜視図によって示されている。この図に示されるように、ベルト係止部材９０は、連結片４６を備えておらず、代わりに連結部としての連結片９２を備えている。この連結片９２は湾曲片４８の半径方向内方側に設けられる横片９４を備えている。横片９４は長手方向が一方の湾曲片４８から他方の湾曲片４８の側への向き（すなわち、スプール２０の軸方向）に沿っている。この横片９４の長手方向両端からは、各湾曲片４８の係止片４２とは反対側の端部へ向けて縦片９６が延びており、この縦片９６の横片９４とは反対側の端部が各湾曲片４８の係止片４２とは反対側の端部に繋がっている。
【００５３】
この連結片９２は、枠状部材６０の湾曲片６４の外側から枠状部材６０の内側を通過して更に湾曲片６４の半径方向内方側に横片９４が位置するように縦片９６の長さが設定されており、連結片９２のうち、湾曲片６４よりも湾曲片６４の半径方向内方側へ突出した部分がスプール２０の規制孔７２に入り込む。このため、スプール２０の周方向にベルト係止部材９０及び枠状部材６０が変位しようとすると、規制孔７２の内壁に連結片９２が干渉される。
【００５４】
これにより、スプール２０の周方向へのベルト係止部材９０及び枠状部材６０の変位が防止又は極めて効果的に抑制される。このように、スプール２０の規制孔７２に入り込んだ連結片９２は、規制孔７２に入り込んだ連結片４６と同様の作用を奏するので、連結片９２を有するベルト係止部材９０を用いても、上述した効果と同様の効果を得ることができる。
【００５５】
また、これまでの説明では、ベルト係止部材４０と枠状部材６０との寸法関係に関して特に言及しなかったが、例えば、図９に示されるように、枠状部材６０における干渉片６２から嵌込片６６までの直線距離（すなわち、湾曲片６４の開口方向側又はその反対側から枠状部材６０を見た場合の干渉片６２と嵌込片６６との間隔）Ｈ１よりも、ベルト係止部材４０の係止片４２と連結片４６とを直線的に結ぶ仮想線から、この仮想線に対して垂直方向に沿った湾曲片４８の外周部までの最長寸法Ｈ２を短く設定し、更に、スプール２０の軸方向に沿った両湾曲片６４の間隔Ｌ１よりも、上記の仮想線に沿った係止片４２から連結片４６までの長さ（更に詳細には、スプール２０の半径方向に沿った外側での係止片４２の端部からスプール２０の半径方向に沿った外側での連結片４６の端部までの長さ）Ｌ２を短く設定してもよい。
【００５６】
このような寸法関係にすると、図１０に示されるように、係止片４２の長手方向を干渉片６２の長手方向に対して直交させた姿勢で枠状部材６０の内側をベルト係止部材４０が通過できる。このため、このような構成にすると、ベルト係止部材連結工程でベルト係止部材４０にウエビングベルト４４の長手方向基端部を連結した後にベルト通し工程を行なうに際して、ウエビングベルト４４の長手方向基端側、すなわち、ベルト係止部材４０から枠状部材６０の内側を通過させることができる。これにより、ウエビングベルト４４の基端側を縫合する際に、枠状部材６０を気にせず作業でき、しかも、ベルト通し工程の作業も簡単になる。
【００５７】
さらに、図１０に示されるスプール２０の軸方向に沿ったベルト係止部材４０の長さＬ３を図９に示される両湾曲片６４の間隔Ｌ１よりも短く設定すると、図１１に示されるように、係止片４２の長手方向を干渉片６２の長手方向に沿わせた姿勢のまま枠状部材６０の内側をベルト係止部材４０が通過できる。このような構成では、ベルト係止部材連結工程の後にベルト通し工程を行なうに際して、枠状部材６０の内側をベルト係止部材４０が通過する際の通過方向に、ベルト係止部材４０に係止されたウエビングベルト４４の長手方向を沿わせることができるので、ベルト係止部材４０が枠状部材６０の内側を通過するにあたり、ウエビングベルト４４が枠状部材６０に干渉されにくいのでベルト通し工程の作業が更に簡単になる。
【００５８】
また、本実施の形態では、ベルト係止部材４０が枠状に形成されており、また、ループ保持手段が枠状部材６０として枠状に形成されていた。しかしながら、ベルト係止部材やループ保持手段の形状が枠状に限定されるものではない。以下、ベルト係止部材形状的な変形例を第３の実施の形態、ループ保持手段の形状的な変形例を第４の実施の形態、第５の実施の形態、第６の実施の形態として説明する。
【００５９】
＜第３の実施の形態＞
図１２には、本発明の第３の実施の形態の構成の要部であるベルト係止部材１００が斜視図によって示されている。この図に示されるように、ベルト係止部材１００は、ベルト係止部材４０における湾曲片４８と同様に湾曲した板状に形成されている。ベルト係止部材１００の湾曲に沿った周方向一端側にはスリット孔１０２が形成されており、このスリット孔１０２よりも更にベルト係止部材１００の周方向一端側が係止片４２とされている。スリット孔１０２はベルト係止部材１００の湾曲の軸方向に沿って長手とされた細幅の貫通孔で、その長手寸法はウエビングベルト４４の幅寸法以上に設定されている。
【００６０】
ウエビングベルト４４をベルト係止部材１００に係止する際には、ウエビングベルト４４の長手方向基端側がスリット孔１０２を通過した状態で長手方向先端側に折り返され、この折り返し部分がウエビングベルト４４の長手方向先端側と重ね合わされた状態で縫合等により固着される。
【００６１】
これに対し、ベルト係止部材１００の湾曲に沿った周方向他端部近傍がベルト係止部材４０と同様に連結部としての連結片４６とされている。
【００６２】
このようなベルト係止部材１００は枠状に形成されていないものの、スリット孔１０２を通過したウエビングベルト４４がベルト係止部材１００に連結され、しかも、連結片４６が枠状部材６０に連結できるので、機能的にはベルト係止部材４０と同じ機能を有する。したがって、このようなベルト係止部材１００でも、ベルト係止部材４０と同様の作用を奏し、ベルト係止部材４０と同様の効果を得ることができる。しかも、ベルト係止部材４０とは異なり枠状に形成されておらず、基本的には板状であるので、機械的強度はベルト係止部材４０よりもベルト係止部材１００の方が高くなる。
【００６３】
＜第４の実施の形態＞
図１３には、本発明の第４の実施の形態の構成の要部であるループ保持手段としてのベルト通過部材１１０が斜視図によって示されている。この図に示されるように、ベルト通過部材１１０は、枠状部材６０における湾曲片６４と同様に湾曲した板状に形成されている。ベルト通過部材１１０の湾曲に沿った周方向一端側には通過部としてのスリット孔１１２が形成されており、このスリット孔１１２よりも更にベルト通過部材１１０の周方向一端側が干渉片６２とされている。スリット孔１１２はベルト通過部材１１０の湾曲の軸方向に沿って長手とされた細幅の貫通孔で、その長手寸法はウエビングベルト４４の幅寸法以上に設定され、上記のベルト通し工程では、このスリット孔１１２をウエビングベルト４４が通過する。
【００６４】
これに対し、ベルト通過部材１１０の湾曲に沿った周方向他端側には連結孔１１４が形成されており、この連結孔１１４よりも更にベルト通過部材１１０の周方向他端側が嵌込片６６とされている。連結孔１１４はベルト通過部材１１０の湾曲の軸方向に沿って長手とされた細幅の貫通孔で、その長手寸法はスプール２０の軸方向に沿った連結片４６の長さよりも長く、この連結孔１１４を連結片４６が通過することで、ベルト通過部材１１０とベルト係止部材４０（又はベルト係止部材１００）とが連結される
このようなベルト通過部材１１０は枠状に形成されていないものの、ベルト通し工程でウエビングベルト４４がスリット孔１１２を通過すると共に、連結孔１１４を連結片４６が通過することで、ベルト通過部材１１０とベルト係止部材４０（又はベルト係止部材１００）とが連結される。したがって、ベルト通過部材１１０は機能的に枠状部材６０と同じ機能を有する。
【００６５】
したがって、このようなベルト通過部材１１０でも、枠状部材６０と同様の作用を奏し、枠状部材６０と同様の効果を得ることができる。しかも、枠状部材６０とは異なり枠状に形成されておらず、基本的には板状であるので、機械的強度は枠状部材６０よりもベルト通過部材１１０の方が高くなる。
【００６６】
＜第５の実施の形態＞
図１４には、本発明の第５の実施の形態の構成の要部であるベルト係止手段としてのベルト係止部材１３０と、ループ保持手段としてのバー１３２とが斜視図によって示されている。この図に示されるように、ベルト係止部材１３０は外板部１３４を備えている。外板部１３４は前記第３の実施の形態におけるベルト係止部材１００と同様に平板を湾曲させることで形成されている。この外板部１３４の湾曲の内側には平板を湾曲させることで形成された内板部１３６が設けられている。内板部１３６は外周側が外板部１３４の内周部に倣って湾曲している。
【００６７】
湾曲の周方向に沿った外板部１３４の一端部近傍には、スリット孔１３８が形成されている。スリット孔１３８は湾曲の軸方向に沿って長手とされた細幅の貫通孔で、その長手寸法はウエビングベルト４４の幅寸法以上に設定されている。これに対して湾曲の周方向に沿った内板部１３６の一端部近傍にはスリット孔１４０が形成されている。スリット孔１４０はスリット孔１３８と同様の形状とされている。スリット孔１４０は外板部１３４及び内板部１３６の厚さ方向にスリット孔１３８に対向しており、ウエビングベルト４４はスリット孔１３８、１４０の双方を通過できる。ウエビングベルト４４はその長手方向基端側がスリット孔１３８、１４０の双方を通過した状態で折り返され、この折り返し部分がウエビングベルト４４の長手方向先端側と重ね合わされた状態で縫合等により固着される。
【００６８】
一方、外板部１３４及び内板部１３６のスリット孔１３８、１４０とは反対側の端部には各々が連結部としての一対のバー保持部１４２が形成されている。これらのバー保持部１４２は、略閉じ断面形状となるように内板部１３６の内周部の側方の所定位置が曲率の中心となるように湾曲させられており、その湾曲の周方向に沿った一方の端部は外板部１３４に繋がり、他方の端部は内板部１３６に繋がっている。
【００６９】
この一対のバー保持部１４２の一方は、外板部１３４及び内板部１３６の湾曲の軸方向に沿った外板部１３４及び内板部１３６の一端側に形成されており、バー保持部１４２の他方は、外板部１３４及び内板部１３６の湾曲の軸方向に沿った外板部１３４及び内板部１３６の他端側に形成されている。この一対のバー保持部１４２の間隔は、ウエビングベルト４４の幅寸法以上に設定されており、一対のバー保持部１４２の間をウエビングベルト４４が通過できる。この一対のバー保持部１４２の一方には上記のバー１３２の長手方向一端側が入り込み、一対のバー保持部１４２の他方にはバー１３２の長手方向他端側が入り込む。
【００７０】
バー１３２の両端側が各バー保持部１４２に入り込んだ状態では、一対のバー保持部１４２の間を通過したウエビングベルト４４が外板部１３４及び内板部１３６の周方向に変位して一対のバー保持部１４２の間から抜け出ようとするとバー１３２に干渉される。上記のように、スリット孔１３８、１４０を通過したウエビングベルト４４の長手方向基端部近傍は外板部１３４及び内板部１３６の周方向一端部近傍で係止されているので、外板部１３４及び内板部１３６の曲率中心側を通過して一対のバー保持部１４２の間を通過することで、ベルト係止部材１３０とウエビングベルト４４とによりループが形成され、更に、両端がバー保持部１４２に保持されたバー１３２にウエビングベルト４４が干渉されることで、ベルト係止部材１３０とウエビングベルト４４とで形成されたループの解消（ループが解かれること）が防止される。
【００７１】
本実施の形態では、図１５に示されるように、上述したベルト係止部材１３０とウエビングベルト４４とにより形成されたループの内側にスプール２０が配置される。この状態でバー保持部１４２が規制孔７２に嵌め込まれると共にベルト係止部材１３０及びウエビングベルト４４の双方がスプール２０の外周部に接するまでウエビングベルト４４をその先端側に引っ張って上記のループを縮めることでベルト係止部材１３０がスプール２０に装着され、間接的にウエビングベルト４４がスプール２０に装着される。
【００７２】
このように、本実施の形態では、ウエビングベルト４４をスプール２０に装着するに際して、ウエビングベルト４４の基端側にループを作らなくてもよく、しかも、バー保持部１４２の間にウエビングベルト４４を通してからバー保持部１４２にバー１３２を保持させるだけで簡単にループを作ることができる。
【００７３】
しかも、バー保持部１４２が規制孔７２に嵌め込まれていることで、スプール２０の周方向へのベルト係止部材１３０の変位が防止又は極めて効果的に抑制されるので、ループの空回りの発生を防止又は極めて効果的に抑制でき、ウエビングベルト４４を確実にスプール２０に巻き取らせることができる。
【００７４】
＜第６の実施の形態＞
図１６には、本発明の第６の実施の形態の構成の要部であるベルト係止手段としてのベルト係止部材１６０と、バー１３２とが斜視図によって示されている。この図に示されるように、ベルト係止部材１６０は棒状の横棒部１６２を備えている。この横棒部１６２は長手方向がスプール２０の軸方向に沿っており、その長手方向両端部からは連続して湾曲部１６４が形成されている。横棒部１６２の長手方向両端部において棒材をスプール２０の周方向に屈曲させ、更に、スプール２０の外周部に倣うように湾曲させることで形成されている。
【００７５】
一方の湾曲部１６４と他方の湾曲部１６４との間はウエビングベルト４４の幅寸法よりも大きく、湾曲部１６４の間をウエビングベルト４４が通過できる。ウエビングベルト４４の長手方向基端側は、一対の湾曲部１６４の間を通過した状態で横棒部１６２を包むように折り返され、この折り返し部分がウエビングベルト４４の長手方向先端側と重ね合わされた状態で縫合等により固着される。
【００７６】
一方、各湾曲部１６４の横棒部１６２とは反対側の端部には、連結部としてのバー保持部１６６が形成されている。バー保持部１６６は、その内側にバー１３２を挿し込むことができるように、略環状に湾曲しており、更に、前記第５の実施の形態におけるバー保持部１４２と同様に規制孔７２に嵌め込むことができるようになっている。本実施の形態においてバー１３２は、一端が一方のバー保持部１６６に挿し込まれると共に、他端が他方のバー保持部１６６に挿し込まれ、これにより、バー１３２の両端がベルト係止部材１６０に保持される。
【００７７】
本実施の形態では、長手方向基端側が横棒部１６２に係止されたウエビングベルト４４の先端側が湾曲部１６４の曲率の中心側から湾曲部１６４の間を通過することでループが形成され、このループの内側にスプール２０が配置される。スプール２０が配置された状態でウエビングベルト４４をその先端側へ引っ張っても、両端がバー保持部１６６に保持されたバー１３２にウエビングベルト４４が干渉されることで、ベルト係止部材１６０とウエビングベルト４４とで形成されたループの解消（ループが解かれること）が防止される。
【００７８】
このように、本実施の形態は、ベルト係止部材１６０の構造が前記第５の実施の形態におけるベルト係止部材１３０とは異なるものの、本質的には前記第５の実施の形態におけるベルト係止部材１３０と同じであるため、本実施の形態でも前記第５の実施の形態にて説明した作用と同様の作用を奏し、前記第５の実施の形態にて説明した効果と同様の効果を得ることができる。
【符号の説明】
【００７９】
１０    ウエビング巻取装置
１２    装置本体
１４    フレーム
２０    スプール
２２    スプリングハウジング
２４    ロック機構ハウジング
４０    ベルト係止部材（ベルト係止手段）
４４    ウエビングベルト
４６    連結片（連結部）
６０    枠状部材（ループ保持手段）
７２    規制孔（規制部）
９０    ベルト係止部材（ベルト係止手段）
９２    連結片（連結部）
１００    ベルト係止部材（ベルト係止手段）
１１０    ベルト通過部材(ループ保持手段)
１３０    ベルト係止部材（ベルト係止手段）
１３２    バー（ループ保持手段）
１４２    バー保持部（連結部）
１６０    ベルト係止部材（ベルト係止手段）
１６６    バー保持部（連結部）
【図１】
2010163048.tif 000003
【図２】
2010163048.tif 000004
【図３】
2010163048.tif 000005
【図４】
2010163048.tif 000006
【図５】
2010163048.tif 000007
【図６】
2010163048.tif 000008
【図７】
2010163048.tif 000009
【図８】
2010163048.tif 000010
【図９】
2010163048.tif 000011
【図１０】
2010163048.tif 000012
【図１１】
2010163048.tif 000013
【図１２】
2010163048.tif 000014
【図１３】
2010163048.tif 000015
【図１４】
2010163048.tif 000016
【図１５】
2010163048.tif 000017
【図１６】
2010163048.tif 000018